(57)【特許請求の範囲】
【請求項１】
複数の第１の通信端末とネットワークを介して接続されると共に、当該複数の第１の通信端末が通信サービスを利用するための加入者登録がなされ、当該通信サービスとして前記第１の通信端末同士の接続処理を行う接続装置と、
前記接続装置と前記ネットワークを介して接続するウェブサーバと、を有し、
前記ウェブサーバは、前記接続装置に加入者登録がなされていない第２の通信端末からの前記通信サービス利用要求に応じて、前記接続装置に仮の加入者登録を行うための一時加入者情報を前記第２の通信端末に送信し、
前記第２の通信端末が前記一時加入者情報に基づき前記接続装置に仮の加入者登録をした後、前記接続装置は、前記第２の通信端末と前記第１の通信端末との接続処理を行い、
前記加入者登録は、前記第１の通信端末のＩＰアドレス及び前記第１の通信端末の識別番号を有する加入者情報が前記接続装置に登録されることでなされるものであって、
前記一時加入者情報は、前記接続装置のＩＰアドレス、及び前記接続装置が前記第２の通信端末を前記仮の加入者登録するための仮識別番号を有し、
前記接続装置は、前記第２の通信端末が、前記接続装置のＩＰアドレスを用いて、前記接続装置に接続すると、前記仮識別番号と前記第２の通信端末のＩＰアドレスとを使用して、前記仮の加入者登録を行うものである
通信システム。
【請求項２】
複数の第１の通信端末とネットワークを介して接続されると共に、当該複数の第１の通信端末が通信サービスを利用するための加入者登録がなされ、当該通信サービスとして前記第１の通信端末同士の接続処理を行う接続装置と、
前記接続装置と前記ネットワークを介して接続するウェブサーバと、を有し、
前記加入者登録は、前記第１の通信端末のＩＰアドレス及び前記第１の通信端末の識別番号を有する加入者情報が前記接続装置に登録されることでなされるものであって、
前記ウェブサーバは、前記接続装置に加入者登録がなされていない第２の通信端末からの前記通信サービス利用要求に応じて、前記第２の通信端末に前記接続装置のＩＰアドレスを送信すると共に、前記接続装置に接続して前記第２の通信端末のＩＰアドレス及び前記第２の通信端末を一時的に加入者登録するための仮識別番号を使用して前記第２の通信端末の仮の加入者登録を行い、
前記ウェブサーバが前記第２の通信端末のＩＰアドレス及び前記仮識別番号に基づき前記接続装置に仮の加入者登録をした後、前記接続装置は、前記第２の通信端末と前記第１の通信端末との接続処理を行う
通信システム。
【請求項３】
前記仮識別番号は、前記ウェブサーバが発行し、前記接続装置に予め通知するか、又は前記接続装置が発行し、前記ウェブサーバに通知するものである
請求項１又は２に記載の通信システム。
【請求項４】
前記通信サービスは、テレビ電話サービスである
請求項１乃至３のうちいずれか１項記載の通信システム。
【請求項５】
前記ウェブサーバは、前記通信サービスのサービス提供事業者により、前記通信サービスを利用できる所定の数の仮識別番号が登録されるものである請求項１乃至４のうちいずれか１項記載の通信システム。
【請求項６】
前記接続装置は、前記第１の通信端末と、前記第２の通信端末との通信が終了した後に、所定の時間が経過すると、前記仮の加入者登録を消去する請求項４又は５に記載の通信システム。
【請求項７】
複数の第１の通信端末とネットワークを介して接続されると共に、当該複数の第１の通信端末が通信サービスを利用するための加入者登録がなされ、当該通信サービスとして前記第１の通信端末同士を接続する接続装置とネットワークを介して接続されるウェブサーバであって、
前記接続装置に加入者登録がなされていない第２の通信端末からの前記通信サービス利用要求に応じて、前記第２の通信端末に前記接続装置のＩＰアドレスを送信すると共に、前記接続装置に接続して前記第２の通信端末のＩＰアドレス及び前記第２の通信端末を一時的に加入者登録するための仮識別番号を使用して前記第２の通信端末の仮の加入者登録を行う送信部を有し、
前記加入者登録は、前記第１の通信端末のＩＰアドレス及び前記第１の通信端末の識別番号を有する加入者情報が前記接続装置に登録されることでなされるものである
ウェブサーバ。
【請求項８】
複数の第１の通信端末がネットワークを介して接続された接続装置であって、
前記複数の第１の通信端末が通信サービスを利用するための加入者登録を行う登録部と、
前記通信サービスとして前記第１の通信端末同士の接続処理を行う接続部と、
前記ネットワークを介して通信する通信部と、を有し、
前記登録部は、加入者登録がなされていない第２の通信端末が、仮の加入者登録をするための一時加入者情報を用いて、接続してきた場合に、仮の加入者登録を行い、
前記接続部は、前記第２の通信端末が前記通信サービスを利用可能とするために、前記第２の通信端末と前記第１の通信端末との接続処理を行い、
前記加入者登録は、前記第１の通信端末のＩＰアドレス及び前記第１の通信端末の識別番号を有する加入者情報が登録されることでなされるものであって、
前記一時加入者情報は、前記接続装置のＩＰアドレス、及び前記登録部が前記第２の通信端末を前記仮の加入者登録するための仮識別番号を有し、
前記登録部は、前記第２の通信端末が、前記接続装置のＩＰアドレスを用いて、前記接続装置に接続すると、前記仮識別番号と前記第２の通信端末のＩＰアドレスとを使用して、前記仮の加入者登録を行うものである
接続装置。
【請求項９】
複数の第１の通信端末と、当該複数の第１の通信端末が通信サービスを利用するための加入者登録がなされ、当該通信サービスとして前記第１の通信端末同士の接続処理を行う接続装置と、ウェブサーバと、が相互に接続されるネットワークにおける通信方法であって、
前記ウェブサーバが、前記接続装置に加入者登録がなされていない第２の通信端末からの前記通信サービス利用要求に応じて、前記接続装置に仮の加入者登録を行うための一時加入者情報を前記第２の通信端末に送信する送信ステップと、
前記第２の通信端末が、前記一時加入者情報に基づき前記接続装置に仮の加入者登録をする仮加入登録ステップと、
前記接続装置が、前記第２の通信端末と前記第１の通信端末との接続処理を行う接続処理ステップと、を有し、
前記加入者登録は、前記第１の通信端末のＩＰアドレス及び前記第１の通信端末の識別番号を有する加入者情報が前記接続装置に登録されることでなされるものであって、
前記一時加入者情報は、前記接続装置のＩＰアドレス、及び前記接続装置が前記第２の通信端末を前記仮の加入者登録するための仮識別番号を有し、
前記仮加入登録ステップでは、前記接続装置は、前記第２の通信端末が、前記接続装置のＩＰアドレスを用いて、前記接続装置に接続すると、前記仮識別番号と前記第２の通信端末のＩＰアドレスとを使用して、前記仮の加入者登録を行うものである
通信方法。
【請求項１０】
複数の第１の通信端末と、当該複数の第１の通信端末が通信サービスを利用するための加入者登録がなされ、当該通信サービスとして前記第１の通信端末同士の接続処理を行う接続装置と、ウェブサーバと、が相互に接続されるネットワークにおける通信方法であって、
前記ウェブサーバが、前記接続装置に加入者登録がなされていない第２の通信端末からの前記通信サービス利用要求に応じて、前記第２の通信端末に前記接続装置のＩＰアドレスを送信すると共に、前記接続装置に接続して前記第２の通信端末のＩＰアドレス及び前記第２の通信端末を一時的に加入者登録するための仮識別番号を使用して前記第２の通信端末の仮の加入者登録を行うステップと、
前記接続装置が、前記第２の通信端末と前記第１の通信端末との接続処理を行うステップと、を有し、
前記加入者登録は、前記第１の通信端末のＩＰアドレス及び前記第１の通信端末の識別番号を有する加入者情報が前記接続装置に登録されることでなされるものである
通信方法。

【発明の詳細な説明】
【技術分野】
【０００１】
本発明は通信システム、ウェブサーバ、接続装置及び通信方法に関し、特にインターネットプロトコルを利用した通信システム、ウェブサーバ、接続装置及び通信方法に関する。
【背景技術】
【０００２】
インターネットに接続された接続装置を介して、テレビ電話等の通信を行う通信サービスがある。
【０００３】
特許文献１には、インターネット通信・配信システムに関する技術が記載されている。特許文献１に記載の技術では、ＩＰ（Internet Protocol）電話端末と、当該ＩＰ電話端末が登録されたＳＩＰ（Session Initiation Protocol）サーバとがインターネットを介して接続されている。利用者がＩＰ電話端末を利用する際は、ＩＰ電話端末は自身のＩＰアドレスを送信する。ＳＩＰサーバは、ＩＰ端末から送信されたＩＰアドレスに基づき、当該ＩＰ端末が利用可能であるか確認し、利用可能であった場合、接続するものである。
【先行技術文献】
【特許文献】
【０００４】
【特許文献１】特開２００７−８１７５７号公報
【発明の概要】
【発明が解決しようとする課題】
【０００５】
しかしながら、例えば地域を限定して通信サービスを提供している事業者（例えばＣＡＴＶ（Community Antenna Television）事業者等）の場合、他事業者の接続装置と、自事業者の接続装置が相互接続していない場合がある。このような場合には、接続装置が相互接続していないため、事業者間（接続装置間）の接続ができない。
【０００６】
また、接続装置を使わずに端末同士が通信する方法も考えられるが、その場合は、接続するエリア内（事業者間）で一意のＩＰアドレスが必要となる。しかし、通常は事業者内のＩＰアドレスはローカルＩＰを使用しており、他の端末とＩＰアドレスが重複するため、事業者間にまたがって接続するのは困難である。
【０００７】
従って、従来の方法では、事業者の接続装置と、他の事業者の接続装置が分離され、相互接続できない場合には、それぞれ別の接続装置に加入者登録している端末接続はできなかった。端末の接続装置が分離している場合には、例えばより広範囲な（全国）サービスを行っている他の事業者に契約変更する必要があった。
【０００８】
本発明は、接続装置に加入者登録していない通信端末が、新たに接続装置に登録することなく、当該接続装置に加入者登録している他の通信端末と通信することができる通信システムを提供することを目的とする。
【課題を解決するための手段】
【０００９】
本発明にかかる通信システムは、複数の第１の通信端末とネットワークを介して接続されると共に、当該複数の第１の通信端末が通信サービスを利用するための加入者登録がなされ、当該通信サービスとして第１の通信端末同士の接続処理を行う接続装置と、接続装置とネットワークを介して接続するウェブサーバと、を有し、ウェブサーバは、接続装置に加入者登録がなされていない第２の通信端末からの通信サービス利用要求に応じて、接続装置に仮の加入者登録を行うための一時加入者情報を第２の通信端末に送信し、第２の通信端末が一時加入者情報に基づき接続装置に仮の加入者登録をした後、接続装置は、第２の通信端末と第１の通信端末との接続処理を行うものである。
【００１０】
本発明にかかるウェブサーバは、複数の第１の通信端末とネットワークを介して接続されると共に、当該複数の第１の通信端末が通信サービスを利用するための加入者登録がなされ、当該通信サービスとして第１の通信端末同士を接続する接続装置とネットワークを介して接続するウェブサーバであって、接続装置に加入者登録がなされていない第２の通信端末からの通信サービス利用要求に応じて、接続装置に仮の加入者登録をするための、一時加入者情報を第２の通信端末に送信する送信部を有するものである。
【００１１】
本発明にかかる接続装置は、ネットワークを介して接続された複数の第１の通信端末が通信サービスを利用するための加入者登録を行う登録部と、通信サービスとして第１の通信端末同士の接続処理を行う接続部と、ネットワークを介して通信する通信部と、を有し、登録部は、加入者登録がなされていない第２の通信端末が、仮の加入者登録をするための一時加入者情報を用いて、接続してきた場合に、仮の加入者登録を行い、接続部は、第２の通信端末が通信サービスを利用可能とするために、第２の通信端末と第１の通信端末との接続処理を行うものである。
【００１２】
本発明にかかる通信方法は、複数の第１の通信端末とネットワークを介して接続されると共に、当該複数の第１の通信端末が通信サービスを利用するための加入者登録がなされ、当該通信サービスとして第１の通信端末同士の接続処理を行う接続装置と、接続装置とネットワークを介して接続するウェブサーバと、を有し、ウェブサーバは、接続装置に加入者登録がなされていない第２の通信端末からの通信サービス利用要求に応じて、接続装置に仮の加入者登録を行うための一時加入者情報を第２の通信端末に送信し、第２の通信端末が一時加入者情報に基づき接続装置に仮の加入者登録をした後、接続装置は、第２の通信端末と第１の通信端末との接続処理を行うものである。
【発明の効果】
【００１３】
本発明によれば、接続装置に登録されていない通信端末が新たに接続装置に登録することなく、当該接続装置に登録された他の端末と通信できる通信システム、ウェブサーバ、接続装置及び通信方法を提供することができる。
【図面の簡単な説明】
【００１４】
【図１】実施の形態１にかかる通信システムを示す図である。
【図２】実施の形態１にかかる通信システムを示す図である。
【図３】実施の形態１にかかる接続装置１１を示す図である。
【図４】実施の形態１にかかるウェブサーバ１２を示す図である。
【図５】実施の形態１にかかる通信システムの動作を示すフローチャートである。
【図６】実施の形態２にかかるネットショッピングシステムを示す図である。
【発明を実施するための形態】
【００１５】
実施の形態１
以下、図面を参照して本発明の実施の形態について説明する。図１は、本実施の形態にかかる通信システムを示す図である。通信システム１は、第１の通信端末としての通信端末１０と、接続装置１１と、ウェブサーバ１２と、通信端末１０と、第２の通信端末としての通信端末２０とを有し、各端末・装置は、それぞれがネットワーク３０に接続している。加入者網４０は、事業者Ａの通信サービスが提供される範囲を示している。通信端末１０は、加入者網４０内に位置し、事業者Ａの通信サービスＡに加入していることを示す。一方、通信端末２０は、加入者網４０の外に位置し、通信サービスＡに加入していないことを示す。従って、通常、通信端末１０と通信端末２０とは事業者Ａが提供する通信サービスＡを利用して、例えばテレビ電話等の通信をすることができない。
【００１６】
通信端末１０は、接続装置１１に、予め加入者登録している。接続装置１１は、加入者登録された通信端末１０同士を、ネットワーク３０を介して接続することにより、通信サービスＡを提供する。
【００１７】
ウェブサーバ１２は、接続装置１１に加入者登録していない通信端末２０を、接続装置１１が仮の加入者登録するための一時加入者情報を有している。この一時加入者情報とは、通信端末２０がこの一時加入情報を使用して接続装置１１に加入者登録すれば、通信端末２０は、通信サービスＡを利用して通信端末１０と通信することができるというものである。ウェブサーバ１２は、通信端末２０からの通信サービスＡの利用要求に応じて、一時加入者情報を通信端末２０に送信する。以下の説明においては、通信サービスＡがテレビ電話システムである場合について説明する。
【００１８】
通信端末２０が、通信端末１０とテレビ電話通信するためには、まず、ウェブサーバ１２に接続する。ウェブサーバ１２は、通信端末２０からの要求に応じて、一時加入者情報を通信端末２０に送信する。接続装置１１は、通信端末２０が接続装置１１に接続した際に、一時加入者情報を利用して、通信端末２０の仮の加入者登録を行う。これにより、接続装置１１は、通信端末２０と通信端末１０との接続処理をすることが可能となる。
【００１９】
本実施の形態にかかる通信システム１においては、通信端末２０は、通信サービスＡを使用可能な加入者網４０には含まれていないが、接続装置１１に仮の加入者登録をすることで、事業者Ａが提供する通信サービスＡを利用可能となり（これを異通信網間ＴＶ電話サービスということとする。）、加入者網４０内にある通信端末１０とテレビ電話で通話することができる。
【００２０】
次に、本実施の形態にかかる通信システムについて更に詳細に説明する。図２は、本実施の形態にかかる通信システムを詳細に示す図である。本実施の形態にかかる通信システム１においては、通信端末２０及び２１は、事業者Ｂのテレビ電話サービスＢに加入者登録している。通信端末２０、通信端末２１及び接続装置２２は、それぞれネットワーク３０に接続している。加入者網２３は、事業者Ｂのテレビ電話サービスＢが提供される範囲を示している。通信端末２０及び２１は、加入者網２３内に位置し、接続装置２２により接続されることにより、事業者Ｂが提供するテレビ電話サービスＢを利用することはできる。しかし、事業者Ａの接続装置１１と、事業者Ｂの接続装置２２は、相互に接続されていないため、例えば通信端末２０と通信端末１０とはテレビ電話することはできない。
【００２１】
通信端末１０、２０及び２１は、例えばＩＰ電話、テレビ受像機、テレビ電話端末、パソコン及び携帯電話等、ネットワーク３０に接続された端末である。
【００２２】
ここで、通信端末１０が事業者Ａの提供するテレビ電話サービスＡを利用するために行う加入者登録は、通信端末１０のＩＰアドレス及び通信端末１０の識別番号としての電話番号を有する加入者情報を、接続装置１１に登録することでなされる。
【００２３】
これに対し、通信端末２０が事業者Ａの提供するテレビ電話サービスＡを利用するために行う仮の加入者登録は、通信端末２０のＩＰアドレス、及び接続装置１１が通信端末２０を仮の加入者登録するための仮識別番号を接続装置１１に登録されることによりなされる。本実施の形態においては、仮識別番号は仮電話番号であるものとして説明するが、通信端末を識別するための番号であれば電話番号でなくてもよい。
【００２４】
仮電話番号は、ウェブサーバ１２に仮電話番号発行部を設けて、当該仮電話番号発行部が発行し、接続装置１１に予め、異通信網間ＴＶ電話サービスが利用可能なように登録するようにしてもよいし、接続装置１１に仮電話番号発行部を設けて、当該仮電話番号発行部が仮電話番号を発行して、異通信網間ＴＶ電話サービスが利用可能なように登録し、ウェブサーバ１２に予め仮電話番号として通知するようにしてもよい。
【００２５】
さらに、仮電話番号は、通常は通信端末２０がウェブサーバ１２に接続する度に異なる番号となる。通信サービスのサービス提供事業者（本実施の形態においては事業者Ａ）により、テレビ電話サービスＡを利用できる所定の数の仮電話番号がＷｅｂ上で使用可とされる。これにより、事業者Ａの通信サービスを利用する通信端末の数が集中することを抑制でき、通信サービスの管理がより容易になる。
【００２６】
図３は、接続装置１１を示す図である。接続装置１１は、通信端末１０の識別情報を登録する登録部１１１と、通信端末を接続する１１２と、ネットワーク３０を介して他の端末と通信する通信部１１３とを有する。
【００２７】
登録部１１１は、通信端末１０のＩＰアドレス及び電話番号を有する加入者情報を登録することにより、通信端末１０の加入者登録を行う。また、接続装置１１のＩＰアドレスを用いて、通信端末２０が接続装置１１に接続した場合、登録部１１１は、通信端末２０のＩＰアドレスと、仮の電話番号を利用して仮の加入者登録を行う。
【００２８】
通信端末２０が接続装置１１で仮の加入者登録することにより、通信端末２０と、通信端末１０との接続が可能になる。登録部１１１は、通信端末２０と通信端末１０との通信終了から一定時間後、又は、通信端末２０の仮の加入者登録から一定時間経過後に、通信端末２０の仮の加入者登録を消去する。本実施の形態においては、登録部１１１は、通信端末２０と通信端末１０との通信終了から一定時間後に、仮の加入者登録を消去するものとして説明する。
【００２９】
接続部１１２は、登録部１１１に識別情報が登録された通信端末同士を、識別情報に含まれるＩＰアドレスを用いて接続する。本実施の形態においては、接続部１１２は、通信端末同士の接続及び切断の処理を行う。接続部１１２が通信端末２０と通信端末１０との通信を切断すると、登録部１１１は、一定時間後に仮の加入者登録を消去する。
【００３０】
図４は、ウェブサーバ１２を示す図である。ウェブサーバ１２は、一時加入者情報を通信端末２０に送信する送信部１２２と、ホームページデータベース１２３とを有する。
【００３１】
ウェブサーバ１２は、インターネットにホームページを開設している。ウェブサーバ１２のホームページは、ネットワーク３０を介して、事業者Ａに加入していない通信端末２０であっても接続可能である。
【００３２】
通信端末２０が、ウェブサーバ１２が開設しているホームページにアクセスして、接続ボタンをクリックしたことを確認すると、送信部１２２は、通信端末１０の電話番号と、一時加入者情報である接続装置１１のＩＰアドレス及び仮電話番号とを通信端末２０に送信する。
【００３３】
ホームページデータベース１２３は、ウェブサーバ１２が開設しているホームページの情報を保持している。
【００３４】
本実施の形態においては、登録部１１１が仮の加入者登録を行うことにより、接続装置が通信端末２０の仮の電話番号と、通信端末２０のＩＰアドレスとを保持する。そのため、接続装置１１が通信端末２０のＩＰアドレスと通信端末１０のＩＰアドレスとを用いて接続処理を行い、一時的に通信端末２０がテレビ電話サービスＢを利用して通信端末１０と通信することが可能となる。
【００３５】
本実施の形態にかかる通信システム１は、通信端末２０からのウェブサーバ１２への接続要求を契機に、接続に必要な情報である一時加入者情報を、ウェブサーバ１２が通信端末２０に送信する。通信端末２０は、接続装置１１に一時加入者情報を送信して仮の加入者登録をする。これにより通信端末２０は、通信端末１０とテレビ電話で通信することができる。すなわち、通信端末２０が通信端末１０にテレビ電話をかけると、接続装置１１が、通信端末２０と通信端末１０とを接続する。これにより、通信端末２０は、テレビ電話サービスＡを利用することができる。
【００３６】
次に、本実施の形態にかかる通信システムの動作について説明する。以後の記載においては、ウェブサーバ１２は、通信端末２０に対し、一時加入者情報を送信するものとして説明する。図５は、本実施の形態にかかる通信システムの動作を示すフローチャートである。
【００３７】
まず、通信端末２０は、ウェブサーバ１２の開設するホームページにアクセスする（ステップＳ１）。通信端末２０がウェブサーバ１２のホームページ上に設けられた接続ボタンをクリックする（ステップＳ２）と、ウェブサーバ１２から、通信端末２０に対し、通信端末１０の電話番号と、一時加入者情報が送信される（ステップＳ３）。
【００３８】
通信端末２０は、通信端末１０の電話番号と、一時加入者情報とをウェブサーバ１２から受け取り、一時加入者情報に含まれる接続装置１１のＩＰアドレスを用いて、接続装置１１に接続する（ステップＳ４）。
【００３９】
通信端末２０から接続されると、登録部１１１は、通信端末１０の仮電話番号を確認し、仮電話番号と通信端末１０のＩＰアドレスとを関連させて、仮の加入者登録を行う（ステップＳ５）。
【００４０】
次に、接続装置１１の接続部１１２は、通信端末２０から送信された通信端末１０の電話番号に基づいて、登録部１１１から通信端末１０のＩＰアドレスを検索する（ステップＳ６）。そして、通信端末２０及び通信端末１０のそれぞれのＩＰアドレスに基づいて、両者を接続する（ステップＳ７）。本実施の形態では、通信端末２０と、通信端末１０とは、接続装置１１によって接続処理された後は、接続装置１１を介さずに通信を行うが、接続装置１１を介して通信を行うようにしてもよい。
【００４１】
通信端末２０と、通信端末１０の通信が終了すると、接続装置１１は、通信端末２０と通信端末１０との接続を切断する（ステップＳ８）。そして、接続装置１１は、接続が切断した所定の時間経過後に、登録部１１１の通信端末２０の仮の加入者登録を消去する（ステップＳ９）。
【００４２】
ここで、本実施の形態においては、ウェブサーバ１２が、通信端末２０に対し、一時加入者情報としての接続装置１１のＩＰアドレス及び仮電話番号を送信する構成としている。これに対し、ウェブサーバ１２が、通信端末２０に対し、接続装置１１のＩＰアドレスを送信するようにしてもよい。この場合、ウェブサーバ１２の送信部１２２が、通信端末２０の通信サービス利用要求に対して、接続装置１１のＩＰアドレスを送信すると共に、接続装置１１に対して、通信端末２０のＩＰアドレス及び仮電話番号を送信し、通信端末２０の仮の加入者登録を行う。
【００４３】
接続装置１１の登録部１１１は、ウェブサーバ１２の送信部１２２から受信した通信端末２０の仮の加入者登録を行い、接続部１１２は、通信端末２０から接続されると、通信端末２０と通信端末１０とを接続処理する。
【００４４】
ウェブサーバ１２が接続装置１１のＩＰアドレスを通信端末２０に送信する場合には、ウェブサーバ１２が、通信端末２０の識別情報を識別接続装置１１に登録する。この場合、接続装置１１は、通信端末２０が接続装置１１に接続する前に、通信端末２０を仮の加入者登録している。そのため、通信端末２０が接続装置１１に接続した際は、通信端末２０が既に登録され、接続装置１１が、通信端末２０からの接続を契機として、すぐに通信端末２０と通信端末１０の接続処理を行うことができ、接続にかかる処理時間をより短くすることができる。
【００４５】
これにより、本実施の形態にかかる通信システム１は、通信端末２０が、事業者Ａに仮の加入者登録するため、通信端末２０の契約変更等をすることなく、通信端末１０との通信が可能になる。
【００４６】
また、通信端末２０のユーザは、仮の加入者登録することにより、事前の契約変更や登録変更を行わずに、通信端末１０と接続できる。又さらに、接続装置１１に仮の加入者登録した通信端末２０と通信端末１０とが通信するための構成を、ウェブサーバ１２及び接続装置１１を利用することにより実現するので、通信端末２０のユーザにかかる費用や負担が軽減できる。
【００４７】
実施の形態２
本実施の形態にかかるネットショッピングシステムについて説明する。図６は、実施の形態２にかかるネットショッピングシステム３を示す図である。本実施の形態にかかるネットショッピングシステム３は、コールセンタ１３と、接続装置１４と、買い物サイト１５と、通信端末２４と、接続装置２５とを有する。加入者網２６は、事業者Ｃの通信サービスＣが提供される範囲を示している。通信端末２４は予め通信サービスＣに加入しており、接続装置２５は、事業者Ｃが設置した接続装置である。
【００４８】
本実施の形態のネットショッピングシステム３は、実施の形態１にかかる通信システムを応用したものであり、本実施の形態にかかる接続装置１４、買い物サイト１５、及びコールセンタ１３は、実施の形態１の接続装置１１、ウェブサーバ１２及び通信端末１０に相当し、加入者網４１の接続装置１４に加入者登録していない通信端末２４が、接続装置１４に接続されたコールセンタ１３とテレビ電話通信を行うものである。
【００４９】
コールセンタ１３は、接続装置１４に加入者登録している通信端末からかかってきたテレビ電話に対応する。接続装置１４は、接続装置１４に識別情報を登録している通信端末同士を接続する。買い物サイト１５は、インターネット上にホームページを設置し、接続してきた通信端末からの要求に応じて、一時加入者情報を送信する。
【００５０】
通信端末２４は、買い物サイト１５に接続し、興味のある商品ページのテレビ電話接続ボタンをクリックする。通信端末２４は、通信端末２４のクリックを契機に、買い物サイト１５から、一時加入者情報を通信端末２４にダウンロードする。通信端末２４は、一時加入者情報を用いて、接続装置１４に接続する。接続装置１４は、通信端末２４を仮の加入者登録し、通信端末２４とコールセンタ１３とを接続する。通信端末２４のユーザは、事業者Ｄに仮に加入者登録することにより、コールセンタ１３へテレビ電話接続して、ショッピングの相談をすることができる。
【００５１】
本実施の形態にかかるネットショッピングシステム３では、通信端末２４とコールセンタ１３との通話終了後、一定時間内に通信端末２４から、接続装置１４に対して再登録や発信が無ければ、接続装置１４は、通信端末２４の仮の加入者登録を消去する。従って、通信端末２４が入手した仮電話番号は、一定時間が経過すれば別の端末向けに使用可能となる。使用可能となった電話番号は、再度買い物サイト１５に渡されてサーバ内に保存され、別の通信端末がボタンクリックした際に再使用される。
【００５２】
なお、加入者登録消去後に通信端末２４が再度コールセンタ１３へ接続したい場合は、再度ウェブページからテレビ電話ボタンをクリックすることにより接続が可能である。これにより、事業者Ｄに加入者登録していない通信端末２４であっても、ウェブページにアクセスすることにより、コールセンタと相談しながら買い物ができるため、より便利に買い物をすることができる。
【００５３】
なお、本発明は上記実施の形態に限られたものではなく、趣旨を逸脱しない範囲で適宜変更することが可能である。例えば、ＩＰネットワークシステムがあれば適用が可能である。
【００５４】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５５】
（付記１）
複数の第１の通信端末とネットワークを介して接続されると共に、当該複数の第１の通信端末が通信サービスを利用するための加入者登録がなされ、当該通信サービスとして前記第１の通信端末同士の接続処理を行う接続装置と、
前記接続装置と前記ネットワークを介して接続するウェブサーバと、を有し、
前記ウェブサーバは、前記接続装置に加入者登録がなされていない第２の通信端末からの前記通信サービス利用要求に応じて、前記接続装置に仮の加入者登録を行うための一時加入者情報を前記第２の通信端末に送信し、
前記第２の通信端末が前記一時加入者情報に基づき前記接続装置に仮の加入者登録をした後、前記接続装置は、前記第２の通信端末と前記第１の通信端末との接続処理を行う通信システム。
（付記２）
前記加入者登録は、前記第１の通信端末のＩＰアドレス及び前記第１の通信端末の識別番号を有する加入者情報が前記接続装置に登録されることでなされるものであって、
前記一時加入者情報は、前記接続装置のＩＰアドレス、及び前記接続装置が前記第２の通信端末を前記仮の加入者登録するための仮識別番号を有し、
前記接続装置は、前記第２の通信端末が、前記接続装置のＩＰアドレスを用いて、前記接続装置に接続すると、前記仮識別番号と前記第２の通信端末のＩＰアドレスとを使用して、前記仮の加入者登録を行うものである付記１記載の通信システム。
（付記３）
前記加入者登録は、前記第１の通信端末のＩＰアドレス及び前記第１の通信端末の識別番号を有する加入者情報が前記接続装置に登録されることでなされるものであって、
前記ウェブサーバは、前記一時加入者情報を前記第２の通信端末に送信する処理に換えて、前記第２の通信端末に前記接続装置のＩＰアドレスを送信すると共に、前記接続装置に接続して前記第２の通信端末のＩＰアドレス及び前記第２の通信端末を一時的に加入者登録するための仮識別番号を使用して前記第２の通信端末の前記仮の加入者登録を行う
付記１記載の通信システム。
（付記４）
前記仮識別番号は、前記ウェブサーバが発行し、前記接続装置に予め通知するか、又は前記接続装置が発行し、前記ウェブサーバに通知するものである付記１乃至３のうちいずれか１項記載の通信システム。
（付記５）
前記通信サービスは、テレビ電話サービスであり、
前記一時加入者情報は、前記接続装置のＩＰアドレス、及び前記接続装置が前記第２の通信端末を前記仮の加入者登録するために一時的に使用する仮電話番号である
である付記１乃至４のうちいずれか１項記載の通信システム。
（付記６）
前記ウェブサーバは、前記通信サービスのサービス提供事業者により、前記通信サービスを利用できる所定の数の仮識別番号が登録されるものである付記１乃至５のうちいずれか１項記載の通信システム。
（付記７）
前記接続装置は、前記第１の通信端末と、前記第２の通信端末との通信が終了した後に、所定の時間が経過すると、前記仮の加入者登録を消去する付記５又は６のうちいずれか１項記載の通信システム。
（付記８）
複数の第１の通信端末とネットワークを介して接続されると共に、当該複数の第１の通信端末が通信サービスを利用するための加入者登録がなされ、当該通信サービスとして前記第１の通信端末同士を接続する接続装置とネットワークを介して接続するウェブサーバであって、
前記接続装置に加入者登録がなされていない第２の通信端末からの前記通信サービス利用要求に応じて、前記第２の通信端末が前記通信サービスを利用可能とするために、一時加入者情報を前記第２の通信端末に送信する送信部を有するウェブサーバ。
（付記９）
前記加入者登録は、前記第１の通信端末のＩＰアドレス及び前記第１の通信端末の識別番号を有する加入者情報が前記接続装置に登録されることでなされるものであって、
前記一時加入者情報は、前記接続装置のＩＰアドレス、及び前記接続装置が前記第２の通信端末を前記仮の加入者登録するための仮識別番号を有する付記８記載のウェブサーバ。
（付記１０）
前記加入者登録は、前記第１の通信端末のＩＰアドレス及び前記第１の通信端末の識別番号を有する加入者情報が前記接続装置に登録されることでなされるものであって、
前記一時加入者情報は、第１の一時加入者情報と、第２の一時加入者情報とを有し、
前記送信部が、前記一時加入者情報を前記第２の通信端末に送信する処理に換えて、前記第２の通信端末に前記接続装置のＩＰアドレスを送信すると共に、前記接続装置に接続して前記第２の通信端末のＩＰアドレス及び前記第２の通信端末を一時的に加入者登録するための仮識別番号を使用して前記仮の加入者登録を行う付記８記載のウェブサーバ。
（付記１１）
ネットワークを介して接続された複数の第１の通信端末が通信サービスを利用するための加入者登録を行う登録部と、
前記通信サービスとして前記第１の通信端末同士の接続処理を行う接続部と、
前記ネットワークを介して通信する通信部と、を有し、
前記登録部は、加入者登録がなされていない第２の通信端末が、仮の加入者登録をするための一時加入者情報を用いて、接続してきた場合に、仮の加入者登録を行い、
前記接続部は、前記第２の通信端末が前記通信サービスを利用するために、前記第２の通信端末と前記第１の通信端末との接続処理を行う接続装置。
（付記１２）
前記登録部は、前記第１の通信端末のＩＰアドレス及び前記第１の通信端末の識別番号を有する加入者情報を登録することにより、前記第１の通信端末の前記加入者登録を行い、
前記一時加入者情報は、前記接続装置のＩＰアドレス、及び前記第２の通信端末を前記仮の加入者登録するための仮識別番号を有し、
前記登録部は、前記第２の通信端末が、前記接続装置のＩＰアドレスを用いて接続した際、前記第２の通信端末のＩＰアドレスと、前記一時識別番号とを用いて前記第２の通信端末を仮の加入者登録する付記１１記載の接続装置。
（付記１３）
前記登録部は、前記第１の通信端末のＩＰアドレス及び前記第１の通信端末の識別番号を有する加入者情報が登録されることで前記加入者登録を行い、
前記登録部は、前記第２の通信端末が前記一時加入者情報を用いて接続することに換えて、前記ウェブサーバが前記通信サービス利用要求をした第２の通信端末のＩＰアドレス及び前記第２の通信端末を前記仮の加入者登録するための仮識別番号を送信してきた際に、前記第２の通信端末を仮の加入者登録する付記１１記載の接続装置。
（付記１４）
前記登録部は、前記第１の通信端末と、前記第２の通信端末との通信が終了した後に、所定の時間が経過すると、前記仮の加入者登録を消去する付記１１乃至１３のうちいずれか１項記載の接続装置。
（付記１５）
前記接続装置は、仮識別番号を発行する発行部を更に有し、
前記発行部は、前記通信サービスのサービス提供事業者により、前記通信サービスを利用できる所定の数の仮識別番号を発行し、前記ウェブサーバに予め通知されるものである付記１１乃至１４のうちいずれか１項記載の接続装置。
（付記１６）
複数の第１の通信端末とネットワークを介して接続されると共に、当該複数の第１の通信端末が通信サービスを利用するための加入者登録がなされ、当該通信サービスとして前記第１の通信端末同士の接続処理を行う接続装置と、
前記接続装置と前記ネットワークを介して接続するウェブサーバと、を有し、
前記ウェブサーバは、前記接続装置に加入者登録がなされていない第２の通信端末からの前記通信サービス利用要求に応じて、前記接続装置に仮の加入者登録を行うための一時加入者情報を前記第２の通信端末に送信し、
前記第２の通信端末が前記一時加入者情報に基づき前記接続装置に仮の加入者登録をした後、前記接続装置は、前記第２の通信端末と前記第１の通信端末との接続処理を行う通信方法。
【符号の説明】
【００５６】
１  通信システム
３  ネットショッピングシステム
１０  通信端末
１１  接続装置
１２  ウェブサーバ
１３  コールセンタ
１４  接続装置
１５  買い物サイト
２０  通信端末
２１  通信端末
２２  接続装置
２３  加入者網
２４  通信端末
２５  接続装置
２６  加入者網
３０  ネットワーク
４０  加入者網
４１  加入者網
１１１  登録部
１１２  接続部
１１３  通信部
１２２  送信部
１２３  ＨＰデータベース
【図１】
0005803319.tif 000002
【図２】
0005803319.tif 000003
【図３】
0005803319.tif 000004
【図４】
0005803319.tif 000005
【図５】
0005803319.tif 000006
【図６】
0005803319.tif 000007